(57)【特許請求の範囲】
【請求項１】
有価価値情報媒体を受け付けて該有価価値情報媒体が保有する有価価値に関する情報を入力する遊技機外装置が接続され、該遊技機外装置が受け付けた有価価値情報媒体が有価価値を保有していることを条件に遊技者の操作に基づいて、遊技結果に基づき所定数の遊技媒体を払い出す賞媒体払出装置とは別に設けた遊技機内部の貸媒体払出装置を制御し所定数の貸媒体を払い出す遊技機の貸媒体払出制御装置であって、
上記遊技機外装置が受け付けた有価価値情報媒体が保有する有価価値に関する情報に基づいて、該遊技機外装置が電源の供給をも含めて上記貸媒体払出装置による貸媒体払い出しのための制御を司ることを特徴とする遊技機の貸媒体払出制御装置。
【発明の詳細な説明】
【０００１】
【発明の属する技術分野】
この発明は、有価価値情報媒体を受け付ける遊技機外装置を接続し、該遊技機外装置が受け付けた有価価値情報媒体が有価価値を保有していることを条件に遊技者の操作に基づいて払出装置を制御し所定数の貸媒体を払い出す遊技機の貸媒体払出制御装置に関するものである。
【０００２】
【従来の技術】
パチンコ機等の遊技機には、貸媒体の払出方式によって、現金機と呼ばれるものと、ＣＲ機と呼ばれるものがある。
【０００３】
現金機は、遊技機に内蔵する払出装置としては、遊技結果に基づき所定数の遊技媒体（賞媒体）を払い出す賞媒体払出装置のみで、図６に示すように、貸媒体払出用の遊技機外装置として、遊技機１の側方に隣接して現金ユニット２が設けられ、現金ユニット２が現金を受け付けて、その受け付けた現金に関わる有価価値情報に基づき、現金ユニット２自体が貸媒体として所定数の遊技媒体を払い出し、その払い出した遊技媒体を、通称象の鼻と呼ばれる樋３によって遊技機１の上皿４に供給する。
【０００４】
一方、ＣＲ機は、プリペイドカード等のカード状記憶媒体に記憶された有価価値に関する情報を遊技機外装置が受け付け、その受け付けた有価価値に関する情報に基づいて遊技機本体内部の払出装置を制御し、所定数の貸媒体を払い出すもので、多くは、遊技機内部に賞媒体(賞球)及び貸媒体(貸球)兼用の払出装置を備えている。そして、その賞・貸媒体兼用の払出装置による貸媒体の払い出しを制御する制御装置は通常、図７に示すとおりで、遊技機外装置であるプリペイドカードユニット５がプリペイドカード等から有価価値に関する情報を受け付けて、その受け付けた情報を遊技機内部に入力し、その情報に基づいて、遊技機側で賞・貸媒体兼用の払出装置の駆動用モータである賞球払出モーター６を制御するよう、つまり、遊技機１側で貸媒体に関わる制御をも受け持つよう構成されている。図７は遊技機背面における各種基板等配線のブロック図であって、図において、７は遊技内容等の制御（主制御）を司る主基板、８は遊技媒体の発射や賞・貸媒体兼用の払出装置による賞媒体および貸媒体の払い出し等を制御する総合中継基板（サブ基板）である。
【０００５】
また、ＣＲ機においては、他に、遊技結果に基づき所定数の遊技媒体を払い出す賞媒体払出装置と、遊技機外装置が受け付けた有価価値に関する情報に基づいて所定数の遊技媒体を払い出す貸媒体払出装置とを別々に設けることも提案されている。その場合、貸媒体の払い出しを制御する制御装置の構成は、図８に示すとおりで、遊技機外装置であるプリペイドカードユニット９がプリペイドカード等から有価価値に関する情報を受け付け、その受け付けた情報を遊技機内部に入力し、その入力した情報に基づいて、遊技機側で払出制御装置10が貸媒体払出装置11を制御するよう構成されている。つまり、やはり遊技機側で貸媒体に関わる制御をも受け持つよう構成されているのである。図８は遊技機背面における各種基板等配線のブロック図であって、図において、12は遊技内容等の制御（主制御）を司る主基板である。
【０００６】
【発明が解決しようとする課題】
このように、従来は、現金機では遊技機自体には貸媒体用の払出装置がなくて、遊技機外装置によって貸媒体を払い出すのに対して、ＣＲ機は、遊技機内部に賞・貸媒体兼用の払出装置を備えるか、賞媒体払出装置とは別個に貸媒体払出装置を備えるものであって、ＣＲ機と現金機とでは内部構造に自ずと異なる部分が多くなり、製造工程が大きく異なるものとなるため、遊技機メーカーとしてはＣＲ機と現金機をそれぞれ別々のラインで製造しなければならず、それが現金機、ＣＲ機双方の製造コストを押し上げる要因となっていた。
【０００７】
また、特にＣＲ機の場合、従来は上述のように遊技機外装置で入力した情報をわざわざ遊技機内部に取り込んで、その情報に基づき遊技機側の制御装置で貸媒体払い出しの制御をも行うため、その分、遊技機側の制御が複雑になるという問題があった。
【０００８】
また、現金機の場合、遊技機外装置から遊技機に向けて、通称象の鼻と呼ばれる樋を延設しなければならず、それが美的な面で必ずしも好ましくなく、外観を制約する要因となっていた。
【０００９】
この発明は、上記問題点に鑑みてなされたものであって、ＣＲ機と現金機とで遊技機の内部構造を共通化し、同一ラインでの製造を可能としてコストを低減するとともに、ＣＲ機の場合に、貸媒体払い出しの制御に関して遊技機側が関与する部分を低減して、遊技機側の制御を簡素化し、また、現金機の場合に、通常象の鼻と呼ばれる樋の設置を不要として、外観上の自由度を高めることを課題とする。
【００１０】
【課題を解決するための手段】
この発明は上記課題を解決するため、遊技機外装置が受け付けた有価価値情報媒体が保有する有価価値に関する情報に基づいて、遊技機外装置側で貸媒体払い出しのための払出装置の制御を司るように遊技機の貸媒体払出制御装置を構成したものである。すなわち、有価価値情報媒体を受け付けて該有価価値情報媒体が保有する有価価値に関する情報を入力する遊技機外装置が接続され、該遊技機外装置が受け付けた有価価値情報媒体が有価価値を保有していることを条件に遊技者の操作に基づいて、遊技結果に基づき所定数の遊技媒体を払い出す賞媒体払出装置とは別に設けた遊技機内部の貸媒体払出装置を制御し所定数の貸媒体を払い出す遊技機の貸媒体払出制御装置であって、上記遊技機外装置が受け付けた有価価値情報媒体が保有する有価価値に関する情報に基づいて、該遊技機外装置が電源の供給をも含めて上記貸媒体払出装置による貸媒体払い出しのための制御を司ることを特徴とする。
【００１１】
この場合、遊技機は、機体内部に貸媒体の払い出しに使用可能な払出装置を備えるものであればよく、遊技機自体はＣＲ機と現金機とで内部構造を特に変える必要がなく、製造工程を共通化することができ、ＣＲ機と現金機とを同一ラインで製造することが可能となる。そして、遊技機外装置が貸媒体払い出しのための払出装置の制御を司るため、遊技機側の制御装置は貸媒体の払い出しに関して関与する必要が全くなく、遊技機外装置で入力した情報をわざわざ遊技機内部に取り込んで、その情報に基づき遊技機側の制御装置で貸媒体払い出しの制御を行うような繁雑な制御が不要で、遊技機側の制御が簡素になる。また、現金機として使用する場合に、従来の通称象の鼻と呼ばれる樋が不要となり、外観上の自由度が高まる。
【００１２】
ここで、遊技者の操作に基づき所定数の遊技媒体を払い出す払出装置、すなわち貸媒体を払い出す払出装置は、遊技結果に基づき所定数の遊技媒体を払い出す賞媒体払出装置とは別の払出装置であってよい。その場合、賞媒体払出装置とは別に、遊技機外装置が受け付けた有価価値情報媒体が保有する有価価値に関する情報に基づいて所定数の遊技媒体を払い出す貸媒体払出装置を遊技機を設け、その貸媒体払出装置の制御を遊技機外装置が司るものとする。
【００１３】
また、有価価値に関する情報を表示する度数表示装置を設けて、残高等を表示するのがよい。その度数表示装置は、遊技機に設けこともでき、また、遊技機外装置に設けることもできる。
【００１４】
また、賞媒体払出装置とは別に貸媒体払出装置を設けたものにおいては、電源の供給をも含めて貸媒体払出装置の制御を司るものとするのがよい。
【００１５】
上記有価価値情報媒体は、現金であってよく、プリペイドカードであってもよく、クレジットカードであってもよい。
【００１６】
【発明の実施の形態】
以下、図面を用いてこの発明の実施の形態を具体的に説明する。
【００１７】
図１〜図５はこの発明の実施の形態の一例を示す。図１は遊技機の前面斜視図、図２は盤面図、図３は遊技盤裏面図、図４は裏セット機構板背面図、図５は配線系統ブロック図である。
【００１８】
図１に符号20で示す遊技機は、前後面が開口した外枠21に略垂直姿勢を保って、且つヒンジ22によって回動自在に額縁状の内枠(図１には現れない)が取り付けられている。そして、内枠には、最上部に枠飾り23が取り付けられ、枠飾り23の下方に開閉可能にガラス枠24が取り付けられ、ガラス枠24の下方に同じく開閉可能に上受け皿25が取り付けられている。そして、上受け皿25の下方には発射ハンドル26を備えた下受け皿27が設けられ、内枠の後方にはガラス枠24内に保持されたガラス板28から一定の間隔を隔てて遊技盤(図１では省略)が装着されている。なお、図１において92は後述の度数表示装置である。
【００１９】
図２において、30は遊技盤であり、その盤面（遊技盤面）の略中央には所定の検出信号に基づき図柄を変動表示する図柄表示器31が設けられ、この図柄表示器31の中央最頂部に天入賞口32が設けられている。そして、図柄表示器31の中央下方には、図柄表示器31の図柄変動開始のための始動信号を検出する図柄始動検出装置を備えた始動口33が設けられ、この始動口33の直ぐ下には上記図柄表示器31の図柄が所定の態様となることによって開放する大入賞口34が設けられている。さらに、図柄表示器31の左右側方に左ゲート35および右ゲート36がそれぞれ設けられ、始動口33の左右側方に左袖入賞口37および右袖入賞口38が設けられ、大入賞口34の左右側方に左下入賞口39および右下入賞口40が設けられている。
【００２０】
図３に示すように遊技盤30の背面には、遊技盤面の上記各入賞口から入賞した入賞媒体を検出する各種検出装置（図柄始動検出装置41、特定領域検出装置42、右ゲート検出装置43、左ゲート検出装置44、大入賞口検出装置45、右袖入賞口検出装置46、左袖入賞口検出装置47、右下入賞口検出装置48、左下入賞口検出装置49、天入賞口検出装置50）、各種電動装置（特定領域開閉装置51、大入賞口開閉装置52、回転体駆動装置53、普通電動役物開閉装置54）、入賞媒体が通過する通路等が設けられた集合板55が取り付けられている。遊技盤面より入賞した入賞媒体は、全てこれら遊技盤30の背面に設けられた各種検出検出装置のうちの何れかによって検出されることとなる。
【００２１】
図４に示すように遊技機30の裏面には、開閉可能に裏セット機構板60が取り付けられている。そして、その裏セット機構板60の略中央には、遊技媒体の発射や払い出しおよび遊技盤面に於ける遊技内容等の制御を含む遊技全般の制御を司る主制御装置61が配置され、その正面視右下となる位置には、主制御装置61からの制御指令信号に基づいて後述の図柄表示装置71、発光装置72および音響装置73の制御を司る従制御装置62が配置され、その直ぐ上方に、従制御装置62からの発光に関わる制御信号を各発光素子に分配給電する発光信号分配装置63が配置され、そのまた直ぐ上に、前述の従制御装置62からの図柄表示に関わる制御信号を図柄表示器72に送る液晶用アナログ装置64と液晶用インバータ装置65が配置され、さらにその左には、遊技盤面の各入賞口に入賞した入賞媒体を検出する各種検出装置からの検出信号を主制御装置61に送るとともに、この主制御装置61からの制御信号を遊技盤30に設けられた各種電動装置に送る盤面中継基板66が配置され、そのまた左には、上記各種検出装置が所定の遊技結果を検出したことに伴い賞媒体を払い出す賞媒体払出装置81が配置され、その下には、遊技者が所定の貸出操作をしたことに伴い貸媒体を払い出す貸媒体払出装置82が配置され、そのまた下に、遊技機20の正面視左側のサイド位置に取り付けられる現金・プリペイドカードユニット90からの制御信号を上記貸媒体払出装置82に送るとともに、貸媒体払出装置82からの貸媒体払出検出信号を現金・プリペイドカードユニット90に送信する遊技機外ユニット接続装置67等が配置されている。また、裏セット機構板60の最上部左隅には、遊技機20に関わる様々な遊技結果等の遊技情報を遊技店側に送信する遊技盤情報端子装置68ａおよび遊技枠情報端子装置68ｂが配置されている。さらに、前述の従制御装置62に隣接してその直ぐ右下の隅には、さらにその下に配置された発射駆動装置83に対して主制御装置61からの制御信号を中継する発射中継装置69が配置されている。
【００２２】
図５に示すように遊技機背面における各種装置の配線は、遊技全般の制御を司る主制御装置61を中心に、この主制御装置61からの制御指令信号に基づいて各種遊技装置（図柄表示装置72、音響装置73、発光装置71）の制御を司る従制御装置62と、遊技盤面の始動口33から入賞した入賞媒体を検出する検出装置（図柄始動検出装置41）と、上記各入賞口から入賞した入賞媒体を検出する各種検出装置（特定領域検出装置42、右ゲート検出装置43、左ゲート検出装置44、大入賞口検出装置49、右袖入賞口検出装置46、左袖入賞口検出装置47、右下入賞口検出装置48、左下入賞口検出装置49、天入賞口検出装置50）が繋がれた盤面中継装置66と、これら各種検出装置が所定の遊技結果を検出したことに基づき所定の賞媒体を払い出す賞媒体払出装置81を駆動する賞媒体払出駆動装置およびこの賞媒体払出駆動装置から払い出された賞媒体を検出する賞媒体払出検出装置と遊技機裏面における遊技媒体の流下異常を検出する各種異常検出装置（賞球切れ検出装置、下皿満杯検出装置）とが繋がれた払出中継装置70と、遊技媒体を遊技盤面に向けて発射させる発射駆動装置83が繋がれた発射中継装置69と、遊技機20に於ける遊技結果情報等を遊技店側に送信する遊技盤情報端子装置68ａおよび遊技枠情報端子装置68ｂ等が繋がれている。そして、主制御装置61と遊技機外装置である現金・プリペイドカードユニット90とに電源を供給するよう、主電源（ＡＣ２４Ｖ）91が繋がれている。
【００２３】
さらに、上記従制御装置62には、図柄表示装置72の繋がれた液晶用アナログ装置64および液晶用インバータ装置65と、音響装置(スピーカ)の繋がれたスピーカ中継装置73と、各種ＬＥＤ装置の発光装置（ＬＥＤランプ）が繋がれた発光信号分配装置63とが繋がれている。発光信号分配装置63は、遊技機20の全てのＬＥＤランプに繋がれていて、それらＬＥＤランプに対して発光信号を分配する。
【００２４】
上記配線構造により、遊技盤背面に設けられた各種検出装置からの検出信号が盤面中継装置66を介して主制御装置61に入力され、図柄始動検出装置41からの検出信号が直接主制御装置61に入力されて、それら検出信号に伴い主制御装置から制御指令信号が出力され、その制御指令信号に基づき従制御装置62が各遊技装置（図柄表示装置72、音響装置(スピーカ)73、発光装置71)を駆動制御するための制御信号を出力する。なお、上記各種検出装置のうち図柄始動検出装置41だけは盤面中継装置66を介さないで直接主制御装置61に繋がれているが、これは、今日の遊技機では図柄始動検出装置41の検出信号が特別に重要な意味合いを有することから、検出後できるだけ早くその検出信号を主制御装置61に入力する必要があるためである。
【００２５】
遊技機外装置である現金・プリペイドカードユニット90は、主電源（ＡＣ２４Ｖ）91より直接電源が供給され、遊技機内部に設けられた上記遊技機外ユニット接続装置67により電源の供給をも含めて貸媒体払出装置82に関する全ての制御を司る。すなわち、遊技機外装置である現金・プリペイドカードユニット90が遊技者の操作により挿入された有価価値情報媒体（現金、プリペイドカード）を受け付けて、その有価価値情報媒体が保有する有価価値に関する情報を入力し、その受け付けた有価価値情報媒体が保有する有価価値に関する情報に基づいて、遊技機外装置90が貸媒体払出装置82を制御し、所定数の貸媒体を払い出させる。
【００２６】
遊技機内部には、上記遊技機外ユニット接続装置67に繋がれて有価価値に関する情報を表示する度数表示装置92が設けられている。この度数表示装置92は、残高等を表示するもので、遊技機外装置に設けることもできる。
【００２７】
なお、この例では、現金およびプリペイドカードを使用可能な現金・プリペイドカードユニット90を設けたものを説明したが、有価価値情報媒体は、現金、プリペイドカード、クレジットカード等のうち適宜選定でき、それに合わせて遊技機外装置を変更できるものである。
【００２８】
以上、図示の実施の形態を中心に一例を説明したが、この発明はこの例に限定されるものではなく、特許請求の範囲に記載の構成を変更しない限り適宜変更して実施できる。また、上記の例はパチンコ機の場合を図示して説明したものであるが、スロットマシン、アレンジボール、雀球等の他の遊技機にも適用できることは勿論である。
【００２９】
【発明の効果】
以上説明したようにこの発明によれば、ＣＲ機であっても現金機であっても、貸媒体の払い出しに関しては全て遊技機外装置が制御し、遊技機内部には貸媒体を払い出す払出装置があればよいため、遊技機自体はＣＲ機と現金機とで内部構造を特に変える必要がなく、製造工程を共通化することができ、ＣＲ機と現金機とを同一ラインで製造することが可能で、製造コストを低減できる。
【００３０】
また、遊技機外装置が貸媒体払い出しのための払出装置の制御を司るため、遊技機側の制御装置は貸媒体の払い出しに関して関与する必要が全くなく、遊技機外装置で入力した情報をわざわざ遊技機内部に取り込んで、その情報に基づき遊技機側の制御装置で貸媒体払い出しの制御を行うような繁雑な制御が不要で、遊技機側の制御が簡素になる。
【００３１】
また、現金機として使用する場合に、従来の通称象の鼻と呼ばれる樋が不要となり、外観上の自由度が高まる。
【図面の簡単な説明】
【図１】実施の形態の遊技機の前面斜視図、
【図２】実施の形態の遊技機の盤面図、
【図３】実施の形態の遊技機の遊技盤裏面図、
【図４】実施の形態の遊技機の裏セット機構板背面図、
【図５】実施の形態の遊技機の配線系統ブロック図、
【図６】従来の現金機の正面図、
【図７】従来のＣＲ機の配線系統ブロック図、
【図８】ＣＲ機の他の例の配線系統ブロック図である。
【符号の説明】
20  遊技機
61  主制御装置
67  遊技機外ユニット接続装置
81  賞媒体払出装置
82  貸媒体払出装置
90  現金・プリペイドカードユニット（遊技機外装置）
91  主電源
92  度数表示装置
【図１】
0003730833.tif 000002
【図２】
0003730833.tif 000003
【図３】
0003730833.tif 000004
【図４】
0003730833.tif 000005
【図５】
0003730833.tif 000006
【図６】
0003730833.tif 000007
【図７】
0003730833.tif 000008
【図８】
0003730833.tif 000009